(57)【要約】【課題】車両の位置に対応した放送受信機の放送番組を記録し、また放送番組の記録中にカメラによって撮影された車両の内外の映像を優先して記録するよう制御すること。【解決手段】無線を介して接続された携帯通信端末装置１による指示に基づいて車両に搭載された機器を遠隔制御する車載機器制御装置１０であって、番組表取得部１７ａが車両に搭載されたテレビの車両の位置に対応した番組表を取得し、通信部１１が携帯通信端末装置１に送信し、番組表から携帯通信端末装置１による指示に基づいて車両に搭載されたテレビの番組を選択し、映像／音声記録部１７ｂが番組の映像／音声を記録する。【選択図】        図２
2005057393.tif 000002
【特許請求の範囲】
【請求項１】
無線を介して接続された通信端末装置による指示に基づいて車両に搭載された機器を遠隔制御する車載機器制御装置であって、
前記車両に搭載された放送受信機の該車両の位置に対応した番組表を取得し、前記通信端末装置に送信する番組表取得送信手段と、
前記番組表取得送信手段によって送信された番組表から前記通信端末装置による指示に基づいて前記車両に搭載された放送受信機の番組を選択し、該番組の映像／音声を記録する映像／音声記録手段と、
を備えたことを特徴とする車載機器制御装置。
【請求項２】
前記放送受信機の前記車両の位置に対応した番組表を保持する番組表データベースをさらに備え、
前記番組表取得送信手段は、前記番組表データベースから前記車両の位置に対応した番組表を取得し、前記通信端末装置に送信することを特徴とする請求項１に記載の車載機器制御装置。
【請求項３】
前記番組表取得送信手段は、前記車両のナビゲーションシステムによって同定された該車両の位置に対応した番組表を取得し、前記通信端末装置に送信することを特徴とする請求項１または２に記載の車載機器制御装置。
【請求項４】
前記車両の内外の映像を撮影する車両映像撮影手段と、
前記通信端末装置による指示に基づいて前記車両映像撮影手段によって撮影された車両の内外の映像を前記放送受信機の番組の映像／音声に優先して記録するよう制御する割り込み制御手段と、をさらに備えることを特徴とする請求項１、２または３に記載の車載機器制御装置。
【請求項５】
無線を介して接続された通信端末装置による指示に基づいて車両に搭載された機器を遠隔制御する車載機器制御方法であって、
前記車両に搭載された放送受信機の該車両の位置に対応した番組表を取得し、前記通信端末装置に送信する番組表取得送信工程と、
前記番組表取得送信工程によって送信された番組表から前記通信端末装置による指示に基づいて前記車両に搭載された放送受信機の番組を選択し、該番組の映像／音声を記録する映像／音声記録工程と、
を含んだことを特徴とする車載機器制御方法。
【請求項６】
無線を介して接続された通信端末装置による指示に基づいて車両に搭載された機器を遠隔制御する車載機器制御プログラムであって、
前記車両に搭載された放送受信機の該車両の位置に対応した番組表を取得し、前記通信端末装置に送信する番組表取得送信手順と、
前記番組表取得送信手順によって送信された番組表から前記通信端末装置による指示に基づいて前記車両に搭載された放送受信機の番組を選択し、該番組の映像／音声を記録する映像／音声記録手順と、
をコンピュータに実行させることを特徴とする車載機器制御プログラム。
【発明の詳細な説明】
【技術分野】
【０００１】
この発明は、車載機器制御装置、車載機器制御方法および車載機器制御プログラムに関し、特に、車両の位置に対応した放送受信機の放送番組を記録し、また放送番組の記録中にカメラによって撮影された車両の内外の映像を優先して記録するよう制御することができる車載機器制御装置、車載機器制御方法および車載機器制御プログラムに関する。
【背景技術】
【０００２】
従来、無線を介して接続された通信端末装置による指示に基づいて車両に搭載された機器を遠隔制御する車載機器制御装置が広く知られている。例えば、特許文献１では、車載オーディオ装置を無線通信端末装置によって遠隔制御する従来技術を開示している。また、特許文献２では、車両への侵入者の画像データを通信ネットワークを通じて画像表示する従来技術を開示している。
【０００３】
【特許文献１】特開２００２−３４０８５号公報
【特許文献２】特開２００１−６５２１２号公報
【発明の開示】
【発明が解決しようとする課題】
【０００４】
しかしながら、特許文献１の従来技術では車載オーディオ装置を無線通信端末装置によって遠隔制御することはできるが、地域によってチャンネルと放送局の対応が異なるテレビまたはラジオの放送番組を記録するよう制御することはできない。すなわち、テレビまたはラジオの放送は、車両が走行する地域によってチャンネルと放送局の対応が異なってくるので、特許文献１の従来技術では所望の放送番組を記録するよう制御することができない。
【０００５】
また、特許文献２の従来技術では車両への侵入者の画像データを通信ネットワークを通じて画像表示することはできるが、テレビまたはラジオの放送番組を記録している場合に、車両への侵入者の画像データを記録することができない。すなわち、特許文献２の従来技術では放送番組の記録中にカメラによって撮影された車両の内外の映像を優先して記録するよう制御することができない。
【０００６】
この発明は、上述した従来技術による問題点を解消するためになされたものであり、特に、車両の位置に対応した放送受信機の放送番組を記録し、また放送番組の記録中にカメラによって撮影された車両の内外の映像を優先して記録するよう制御することができる車載機器制御装置、車載機器制御方法および車載機器制御プログラムを提供することを目的とする。
【課題を解決するための手段】
【０００７】
上述した課題を解決し、目的を達成するため、請求項１の発明に係る車載機器制御装置は、無線を介して接続された通信端末装置による指示に基づいて車両に搭載された機器を遠隔制御する車載機器制御装置であって、前記車両に搭載された放送受信機の該車両の位置に対応した番組表を取得し、前記通信端末装置に送信する番組表取得送信手段と、前記番組表取得送信手段によって送信された番組表から前記通信端末装置による指示に基づいて前記車両に搭載された放送受信機の番組を選択し、該番組の映像／音声を記録する映像／音声記録手段と、を備えたことを特徴とする。
【０００８】
この請求項１の発明によれば、車両に搭載された放送受信機の車両の位置に対応した番組表を取得し、通信端末装置に送信し、番組表から通信端末装置による指示に基づいて車両に搭載された放送受信機の番組を選択し、番組の映像／音声を記録することができる。
【０００９】
また、請求項２の発明に係る車載機器制御装置は、請求項１の発明において、前記放送受信機の前記車両の位置に対応した番組表を保持する番組表データベースをさらに備え、前記番組表取得送信手段は、前記番組表データベースから前記車両の位置に対応した番組表を取得し、前記通信端末装置に送信することを特徴とする。
【００１０】
この請求項２の発明によれば、番組表データベースから車両の位置に対応した番組表を取得し、通信端末装置に送信することができる。
【００１１】
また、請求項３の発明に係る車載機器制御装置は、請求項１または２の発明において、前記番組表データベースから前記車両のナビゲーションシステムによって同定された該車両の位置に対応した番組表を取得し、前記通信端末装置に送信することを特徴とする。
【００１２】
この請求項３の発明によれば、番組表データベースから車両のナビゲーションシステムによって同定された車両の位置に対応した番組表を取得し、通信端末装置に送信することができる。
【００１３】
また、請求項４の発明に係る車載機器制御装置は、請求項１、２または３の発明において、前記車両の内外の映像を撮影する車両映像撮影手段と、前記通信端末装置による指示に基づいて前記車両映像撮影手段によって撮影された車両の内外の映像を前記放送受信機の番組の映像／音声に優先して記録するよう制御する割り込み制御手段と、をさらに備えることを特徴とする。
【００１４】
この請求項４の発明によれば、車両の内外の映像を撮影し、通信端末装置による指示に基づいて車両の内外の映像を放送受信機の番組の映像／音声に優先して記録するよう制御することができる。
【００１５】
また、請求項５の発明に係る車載機器制御方法は、無線を介して接続された通信端末装置による指示に基づいて車両に搭載された機器を遠隔制御する車載機器制御方法であって、前記車両に搭載された放送受信機の該車両の位置に対応した番組表を取得し、前記通信端末装置に送信する番組表取得送信工程と、前記番組表取得送信工程によって送信された番組表から前記通信端末装置による指示に基づいて前記車両に搭載された放送受信機の番組を選択し、該番組の映像／音声を記録する映像／音声記録工程と、を含んだことを特徴とする。
【００１６】
この請求項５の発明によれば、車両に搭載された放送受信機の車両の位置に対応した番組表を取得し、通信端末装置に送信し、番組表から通信端末装置による指示に基づいて車両に搭載された放送受信機の番組を選択し、番組の映像／音声を記録することができる。
【００１７】
また、請求項６の発明に係る車載機器制御プログラムは、無線を介して接続された通信端末装置による指示に基づいて車両に搭載された機器を遠隔制御する車載機器制御プログラムであって、前記車両に搭載された放送受信機の該車両の位置に対応した番組表を取得し、前記通信端末装置に送信する番組表取得送信手順と、前記番組表取得送信手順によって送信された番組表から前記通信端末装置による指示に基づいて前記車両に搭載された放送受信機の番組を選択し、該番組の映像／音声を記録する映像／音声記録手順と、をコンピュータに実行させることを特徴とする。
【００１８】
この請求項６の発明によれば、車両に搭載された放送受信機の車両の位置に対応した番組表を取得し、通信端末装置に送信し、番組表から通信端末装置による指示に基づいて車両に搭載された放送受信機の番組を選択し、番組の映像／音声を記録することができる。
【発明の効果】
【００１９】
請求項１の発明によれば、車両に搭載された放送受信機の車両の位置に対応した番組表を取得し、通信端末装置に送信し、番組表から通信端末装置による指示に基づいて車両に搭載された放送受信機の番組を選択し、番組の映像／音声を記録するよう構成したので、車両の位置に対応した放送受信機の放送番組を記録することができるという効果を奏する。
【００２０】
また、請求項２の発明によれば、番組表データベースから車両の位置に対応した番組表を取得し、通信端末装置に送信するよう構成したので、番組表をいつでも容易に取得でき、車両の位置に対応した放送受信機の放送番組を記録することができるという効果を奏する。
【００２１】
また、請求項３の発明によれば、車両のナビゲーションシステムによって同定された車両の位置に対応した番組表を取得し、通信端末装置に送信するよう構成したので、車両の位置が容易に同定でき、車両の位置に対応した放送受信機の放送番組を記録することができるという効果を奏する。
【００２２】
また、請求項４の発明によれば、車両の内外の映像を撮影し、通信端末装置による指示に基づいて車両の内外の映像を放送受信機の番組の映像／音声に優先して記録するよう制御するよう構成したので、放送番組の記録中にカメラによって撮影された車両の内外の映像を優先して記録するよう制御することができるという効果を奏する。
【００２３】
また、請求項５の発明によれば、車両に搭載された放送受信機の車両の位置に対応した番組表を取得し、通信端末装置に送信し、番組表から通信端末装置による指示に基づいて車両に搭載された放送受信機の番組を選択し、番組の映像／音声を記録するよう構成したので、車両の位置に対応した放送受信機の放送番組を記録することができるという効果を奏する。
【００２４】
また、請求項６の発明によれば、車両に搭載された放送受信機の車両の位置に対応した番組表を取得し、通信端末装置に送信し、番組表から通信端末装置による指示に基づいて車両に搭載された放送受信機の番組を選択し、番組の映像／音声を記録するよう構成したので、車両の位置に対応した放送受信機の放送番組を記録することができるという効果を奏する。
【発明を実施するための最良の形態】
【００２５】
以下に添付図面を参照して、この発明に係る車載機器制御システムの好適な実施の形態を詳細に説明する。実施例１では、本発明の車載機器制御装置を車載機器制御システムに適用し、車両に搭載されたテレビの放送番組の映像／音声を記録するよう制御する場合について説明し、実施例２では、車両に搭載されたテレビの放送番組の記録中に、カメラによって撮影された車両の内外の映像を優先して記録するよう制御する場合について説明する。また、最後に他の実施例として種々の変形例について説明する。
【実施例１】
【００２６】
まず、本実施例１に係る車載機器制御システムの特徴について説明する。図１は、本実施例１に係る車載機器制御システムの特徴を説明する図である。同図に示すように、本実施例１に係る車載機器制御システムは、ＧＰＳ衛星からＧＰＳ信号を受信し、車両の現在位置を知ることができるナビゲーションシステムを備えている。また、テレビの放送番組を受信して、テレビの映像／音声をモニタするモニタおよびテレビの映像／音声を記録する記録装置を備えている。そして、テレビ放送は、地域によってチャンネルと放送局の対応が相違しているので、走行中に放送番組が変わることがある。
【００２７】
したがって、本実施例１に係る車載機器制御システムは、車両に搭載されたテレビの車両の位置に対応した番組表を取得し、携帯通信端末装置に送信し、番組表から携帯通信端末装置による指示に基づいて車両に搭載されたテレビの番組を選択し、番組の映像／音声を記録するよう制御する。
【００２８】
具体的には、番組表データベースから車両の位置に対応した番組表を取得し、携帯通信端末装置に送信し、番組表から携帯通信端末装置による指示に基づいて車両に搭載されたテレビの番組を選択し、番組の映像／音声を記録するよう制御する。
【００２９】
例えば、番組表データベースから車両のナビゲーションシステムによって同定された車両の位置に対応した番組表を取得し、携帯通信端末装置に送信し、番組表から携帯通信端末装置による指示に基づいて車両に搭載されたテレビの番組を選択し、番組の映像／音声を記録するよう制御する。
【００３０】
次に、本実施例１に係る車載機器制御システムの構成について説明する。図２は、本実施例１に係る車載機器制御システムの構成を示す機能ブロック図である。同図に示すように、車載機器制御システムは、携帯通信端末装置１と、車載機器制御装置１０とからなる。このうち、携帯通信端末装置１は、無線ネットワークを介して車載機器制御装置１０と通信を行う通信端末装置である。
【００３１】
車載機器制御装置１０は、通信部１１と、ナビゲーションシステム１２と、テレビチューナ１３と、モニタ１４と、スピーカ１５と、制御部１６と、記憶部１７とからなる。このうち、通信部１１は、携帯通信端末装置１と無線ネットワークを介して通信を行う通信部であり、通信アンテナ１１ａを備えている。通信アンテナ１１ａは、携帯通信端末装置１と通信を行うアンテナで、具体的には、ロッドアンテナである。
【００３２】
ナビゲーションシステム１２は、ＧＰＳ衛星からＧＰＳ信号を受信して車両の位置を同定するとともに、車両が走行する道路の道路情報を運転者に提供するシステムであり、ＧＰＳアンテナを備えている。ＧＰＳアンテナ１２ａは、ＧＰＳ衛星からＧＰＳ信号を受信するアンテナである。
【００３３】
テレビチューナ１３は、テレビ放送の電波を受信して、デジタル信号を復調・再生して、アナログの映像信号と音声信号に分離する装置であり、ＴＶアンテナ１３ａを備えている。ＴＶアンテナ１３ａは、ＵＨＦまたはＶＨＦの周波数帯のテレビ電波を受信するアンテナである。
【００３４】
モニタ１４は、ナビゲーションシステム１２の画像およびテレビチューナによって分離されたアナログの映像信号を表示するモニタであり、具体的には、ＬＣＤなどの液晶表示装置である。また、スピーカ１５は、テレビチューナによって分離されたアナログの音声信号を音声として出力する出力装置である。
【００３５】
記憶部１６は、番組表データベース１６ａと映像／音声記録データ１６ｂとからなる記憶部であり、具体的には、ＨＤＤなどの外部記憶装置である。番組表データベース１６ａは、ナビゲーションシステム１２によって同定された車両の位置に対応したテレビの番組表を保持するデータベースである。また、映像／音声記録データ１６ｂは、アナログの映
像信号と音声信号がデジタル化され、録画／録音されたデータである。
【００３６】
ここで、図２に示す番組表データベース１６ａの一例について説明する。図３は、図２に示す番組表データベース１６ａの一例を示す図である。同図に示すように、地域Ａと地域Ｂはそれぞれ少なくとも６Ｃｈのテレビ番組を放送している。しかし、地域Ａでは１Ｃｈ、３Ｃｈ、５Ｃｈ、６Ｃｈがそれぞれａ局、ｂ局、ｃ局、ｄ局であるのに対して、Ｂ地域では２Ｃｈ、３Ｃｈ、４Ｃｈ、６Ｃｈがそれぞれａ局、ｅ局、ｂ局、ｃ局であった。このように、テレビ放送に利用されているチャンネル（周波数帯）は、地域によって相違している。したがって、車両が走行している間に、Ａ地域からＢ地域に入った場合に、所望の番組をモニタできるようにチャンネルを変更する必要がある。
【００３７】
図２の説明に戻ると、制御部１７は、車載機器制御装置全体を制御し、各部のデータの流れを制御する制御部であり、具体的には、番組表取得部１７ａと、映像／音声記録部１７ｂと、記録状態確認部１７ｃとからなる。番組表取得部１７ａは、車両に搭載されたテレビの車両の位置に対応した番組表を取得する処理部であり、具体的には、番組表データベース１６ａから車両の位置に対応した番組表を取得する。例えば、番組表データベース１６ａから車両のナビゲーションシステム１２によって同定された車両の位置に対応した番組表を取得する。
【００３８】
映像／音声記録部１７ｂは、番組表から携帯通信端末装置１による指示に基づいて車両に搭載されたテレビの番組を選択し、番組の映像／音声を記録する記録部である。具体的には、アナログの映像／音声信号をデジタル化し、映像／音声記録データ１６ａに録画／録音する。また、記録状態確認部１７ｃは、番組の映像／音声の記録状態を確認する確認部である。
【００３９】
次に、図２に示す車載機器制御装置のテレビ番組の映像／音声記録手順について説明する。図４は、図２に示す車載機器制御装置のテレビ番組の映像／音声記録手順を示すフローチャートである。同図に示すように、まず、携帯通信端末装置１は、番組表の要求を車載機器制御装置１０に送信する（ステップＳ４０１）。そして、制御部１７は、携帯通信端末装置１から番組表の要求を受信するとナビゲーションシステム１２から車両の位置情報を取得し（ステップＳ４０２）、番組表取得部１７ａは、車両に搭載されたテレビの車両の位置に対応したテレビ番組表を取得する（ステップＳ４０３）。具体的には、番組表データベース１６ａから車両の位置に対応したテレビ番組表を取得する。例えば、番組表データベース１６ａから車両のナビゲーションシステムによって同定された車両の位置に対応したテレビ番組表を取得する。
【００４０】
さらに、番組表取得部１７ａは、通信部１１を経由して通信携帯端末装置１にテレビ番組表を送信する（ステップＳ４０４）。そして、テレビ番組表を受信した携帯通信端末装置１は、テレビ番組を選択し（ステップＳ４０５）、テレビ番組の記録要求を車載機器制御装置１０に送信する（ステップＳ４０６）。
【００４１】
さらに、映像／音声記録部１７ｂは、テレビ番組の記録要求を受信すると、要求されたテレビ番組に切り替え、または立ち上げて（ステップＳ４０７）、映像／音声を映像／音声記録データ１６ｂに記録する（ステップＳ４０８）。そして、記録状態確認部１７ｃは、モニタ映像／音声を携帯通信端末装置１に送信する（ステップＳ４０９）。さらに、携帯通信端末装置１は、モニタ映像／音声を表示して、記録状態を確認する（ステップＳ４１０）。
【００４２】
上述してきたように、本実施例１では、番組表取得部１７ａが車両に搭載されたテレビの車両の位置に対応した番組表を取得し、通信部１１が携帯通信端末装置１に送信し、番
組表から携帯通信端末装置１による指示に基づいて車両に搭載されたテレビの番組を選択し、番組の映像／音声を記録することとしたので、車両の位置に対応したテレビの放送番組を記録することができる。
【００４３】
また、番組表取得部１７ａは、番組表データベース１６ａから車両の位置に対応した番組表を取得し、携帯通信端末装置１に送信することとしたので、番組表をいつでも容易に取得でき、車両の位置に対応したテレビの放送番組を記録することができる。
【００４４】
また、番組表取得部１７ａは、番組表データベース１６ａから車両のナビゲーションシステム１２によって同定された車両の位置に対応した番組表を取得し、携帯通信端末装置１に送信することとしたので、車両の位置が容易に同定でき、車両の位置に対応したテレビの放送番組を記録することができる。
【実施例２】
【００４５】
ところで、実施例１では、本発明の車載機器制御装置を車載機器制御システムに適用し、車両に搭載されたテレビの放送番組の映像／音声を記録するよう制御する場合について説明したが、本発明はこれだけに限定されるものではなく、車両に搭載されたテレビの放送番組の記録中に、カメラによって撮影された車両の内外の映像を優先して記録するよう制御することができる。したがって、本実施例２では、本発明の車載機器制御装置を車載機器制御システムに適用し、車両に搭載されたテレビの放送番組の記録中に、カメラによって撮影された車両の内外の映像を優先して記録するよう制御する場合について説明する。
【００４６】
まず、本実施例２に係る車載機器制御システムの構成について説明する。図５は、本実施例２に係る車載機器制御システムの構成を示す機能ブロック図である。同図に示すように、図５の機能ブロック図は、実施例１の図２の機能ブロック図と基本的にはおなじであり、相違する個所について説明する。
【００４７】
カメラ１８は、セキュリティ上の目的で車両に取り付けられた車両の内外の映像を撮影する撮影装置であり、必要に応じて複数台取り付けられる。また、割り込み制御部１７ｄは、車両の内外の映像を撮影し、携帯通信端末装置１による指示に基づいて、車両の内外の映像をテレビの放送番組の映像／音声に優先して記録するよう制御する制御部である。具体的には、映像／音声記録部１７ｂが、テレビの放送番組の映像／音声を記録している場合であっても、テレビの放送の番組の映像／音声の記録を一時中断して、車両の内外の映像をテレビの放送番組の映像／音声に優先して記録するよう制御する。
【００４８】
次に、図５に示す車載機器制御装置のカメラ映像の割り込み制御手順について説明する。図６は、図５に示す車載機器制御装置のカメラ映像の割り込み制御手順を示すフローチャートである。同図に示すように、まず、携帯通信端末装置１からカメラの映像の記録要求を車載機器制御装置１０に送信する（ステップＳ６０１）。
【００４９】
そして、制御部１７は、携帯通信端末装置１からカメラの映像の記録要求を受信するとカメラの映像の記録要求であることを識別し（ステップＳ６０２）、カメラの電源を立ち上げ、撮影を開始する（ステップＳ６０３）。さらに、割り込み制御部１７ｄは、テレビの放送番組の映像／音声の記録を中断し、カメラの映像を映像／音声記録データ１６ｂに記録する（ステップＳ６０４）。
【００５０】
そして、そして、記録状態確認部１７ｃは、モニタ映像を携帯通信端末装置１に送信する（ステップＳ６０５）。さらに、携帯通信端末装置１は、モニタ映像を表示して、記録状態を確認する（ステップＳ６０６）。
【００５１】
上述してきたように、本実施例２では、カメラ１８が、車両の内外の映像を撮影し、割り込み制御部１７ｄが、携帯通信端末装置１による指示に基づいて車両の内外の映像をテレビの番組の映像／音声に優先して記録するよう制御することとしたので、放送番組の記録中にカメラによって撮影された車両の内外の映像を優先して記録するよう制御することができる。
【００５２】
ところで、上記実施例１、２では、携帯通信端末装置１と車載機器制御装置１０との間で通信を行い、番組表の要求、映像／音声の記録要求、記録状態の確認などを送受信する場合について説明したが、本発明はそれに限定されるものではなく、携帯通信端末装置１と車載機器制御装置１０との間に基地局を介在させて、携帯通信端末装置１から基地局経由で車載機器制御装置１０と通信を行い、番組表の要求、映像／音声の記録要求、記録状態の確認などを送受信する場合に適用することができる。この場合、テレビ／ラジオの番組表などは基地局から受信することもできる。
【００５３】
また、上記実施例１、２では、携帯通信端末装置１と車載機器制御装置１０との間で通信を行う場合について説明したが、本発明はそれに限定されるものではなく、携帯通信端末装置以外の通信端末装置、例えば、無線通信機能を備えたパソコンと車載機器制御装置１０との間で通信を行う場合に適用することができる。
【００５４】
また、上記実施例１、２では、テレビの放送番組の映像／音声を記録する場合について説明したが、本発明はそれだけに限定されるものではなく、その他の放送番組の映像／音声、例えば、ラジオの放送番組の音声を記録する場合に適用することができる。
【００５５】
また、上記実施例１、２では、テレビがアナログ受信機である場合について説明したが、本発明はそれだけに限定されるものではなく、テレビがデジタル受信機である場合に適用することができる。
【００５６】
また、上記実施例１、２では、映像／音声の記録が１チャンネルで行われる場合について説明したが、本発明はそれだけに限定されるものではなく、映像／音声の記録が複数のチャンネルで行われる場合に適用することができる。この場合、車両の内外の映像をテレビの放送番組の映像／音声に優先して記録する場合でも、テレビの放送番組の映像／音声を中断せずに、裏録画することができる。
【産業上の利用可能性】
【００５７】
以上のように、本発明にかかる車載機器制御装置は、車両に搭載されるテレビ、ラジオ、カメラなどの車載機器を制御するのに有用であり、特に、テレビ、ラジオ、カメラなどの車載機器のモニタ、記録、撮影などの制御に適している。
【図面の簡単な説明】
【００５８】
【図１】本実施例１に係る車載機器制御システムの特徴を説明する図である。
【図２】本実施例１に係る車載機器制御システムの構成を示す機能ブロック図である。
【図３】図２に示す番組表データベースの一例を示す図である。
【図４】図２に示す車載機器制御装置のテレビ番組の映像／音声記録手順を示すフローチャートである。
【図５】本実施例２に係る車載機器制御システムの構成を示す機能ブロック図である。
【図６】図５に示す車載機器制御装置のカメラ映像の割り込み制御手順を示すフローチャートである。
【符号の説明】
【００５９】
１    携帯通信端末装置
１０    車載機器制御装置
１１    通信部
１１ａ  通信アンテナ
１２    ナビゲーションシステム
１２ａ  ＧＰＳアンテナ
１３    テレビチューナ
１３ａ  ＴＶアンテナ
１４    モニタ
１５    スピーカ
１６    記憶部
１６ａ  番組表データベース
１６ｂ  映像／音声記録データ
１７    制御部
１７ａ  番組表取得部
１７ｂ  画像／音声記録部
１７ｃ  記録状態確認部
１７ｄ  割り込み制御部
１８    カメラ
【図１】
2005057393.tif 000003
【図２】
2005057393.tif 000004
【図３】
2005057393.tif 000005
【図４】
2005057393.tif 000006
【図５】
2005057393.tif 000007
【図６】
2005057393.tif 000008